(57)【要約】【課題】ネジ部材の締付け時における連れ回りを防止する。【解決手段】アース用端子金具Ａは、第１取付孔１３（取付孔）に貫通させたボルトＢ（ネジ部材）を接地面Ｅにねじ込んで締め付けることにより接地面Ｅに固定される第１端子金具１０と、第１端子金具１０の外周縁部から延出した形態であり、ボルトＢの締付け時に接地面Ｅの係止溝Ｇ（受け部）に係止することで第１端子金具１０の連れ回りを規制する回り止め部１６と、接地面Ｅとの間で第１端子金具１０を挟むように配される第２端子金具２０と、第２端子金具２０に形成され、回り止め部１６に対し接地面Ｅとは反対側から当接する押さえ部２６とを備える。【選択図】図１
2014170683.tif 000002
【特許請求の範囲】
【請求項１】
取付孔を有し、前記取付孔に貫通させたネジ部材を接地面にねじ込んで締め付けることにより前記接地面に固定される第１端子金具と、
前記第１端子金具の外周縁部から延出した形態であり、前記ネジ部材の締付け時に前記接地面の受け部に係止することで、前記第１端子金具が連れ回りするのを規制する回り止め部と、
前記接地面との間で前記第１端子金具を挟むような形態に配される第２端子金具と、
前記第２端子金具に形成され、前記回り止め部に対し前記接地面とは反対側から当接する押さえ部とを備えていることを特徴とするアース用端子金具。
【請求項２】
前記第１端子金具における前記接地面との接触領域に形成され、前記第１端子金具と前記接地面との間で周方向の引っ掛かりを生じさせる滑り止め部を備えていることを特徴とする請求項１記載のアース用端子金具。
【発明の詳細な説明】
【技術分野】
【０００１】
本発明は、アース用端子金具に関するものである。
【背景技術】
【０００２】
特許文献１には、回り止め機能を備えたアース用端子金具が開示されている。このアース用端子金具は、所定形状の板材を曲げ加工して成形され、接地面に当接する略平板状の端子本体部と、電線が接続される電線圧着部とを有する。端子本体部の中央部には、ネジ部材を貫通させる取付孔が形成され、ネジ部材の締付けによって端子本体部が接地面に固定される。また、ネジ部材を締め付けたときに端子本体部が連れ回りするのを防止する手段として、端子本体部の外周には、接地面側に向けて略直角に屈曲した形態の回り止め部が形成されている。回り止め部を接地面の受け部に係止することにより、端子本体部の連れ回りが防止され、ネジ部材の締付けが確実に行われる。
【先行技術文献】
【特許文献】
【０００３】
【特許文献１】特開２００４−３２７３５５号公報
【発明の概要】
【発明が解決しようとする課題】
【０００４】
上記のアース用端子金具では、回り止め部が、略平板状の端子本体部の外周縁部を略直角に屈曲した形態である。そのため、ネジ部材の締付けトルクが大きい場合には、回り止め部が接地面から浮き上がるように捻れ変形することが懸念される。このようになると、回り止め部による連れ回り防止機能が十分に発揮されなくなる。
本発明は上記のような事情に基づいて完成されたものであって、ネジ部材の締付け時における連れ回りを防止することを目的とする。
【課題を解決するための手段】
【０００５】
本発明は、
取付孔を有し、前記取付孔に貫通させたネジ部材を接地面にねじ込んで締め付けることにより前記接地面に固定される第１端子金具と、
前記第１端子金具の外周縁部から延出した形態であり、前記ネジ部材の締付け時に前記接地面の受け部に係止することで、前記第１端子金具が連れ回りするのを規制する回り止め部と、
前記接地面との間で前記第１端子金具を挟むような形態に配される第２端子金具と、
前記第２端子金具に形成され、前記回り止め部に対し前記接地面とは反対側から当接する押さえ部とを備えているところに特徴を有する。
【発明の効果】
【０００６】
この構成によれば、ネジ部材を締め付けた時に回り止め部に締付けトルクが作用しても、押さえ部の当接作用により、回り止め部の捻れ変形が規制される。したがって、回り止め部による連れ回り防止機能の信頼性が高く、第１端子金具の連れ回りを確実に防止できる。
【図面の簡単な説明】
【０００７】
【図１】実施例１のアース用端子金具の平面図
【図２】回り止め部による回り止め機能が発揮されている状態をあらわす一部切欠正面図
【図３】第１端子金具の平面図
【図４】第１端子金具の側面図
【図５】第１端子金具の底面図
【図６】図５のＸ−Ｘ線断面図
【図７】第２端子金具の平面図
【図８】第２端子金具の側面図
【図９】比較例のアース用端子金具の平面図
【図１０】比較例において回り止め部が捻れ変形した状態をあらわす一部切欠正面図
【発明を実施するための形態】
【０００８】
本発明のアース用端子金具は、
前記第１端子金具における前記接地面との接触領域に形成され、前記第１端子金具と前記接地面との間で周方向の引っ掛かりを生じさせる滑り止め部を備えていてもよい。
この構成によれば、第１端子金具に形成した滑り止め部により、第１端子金具と前記接地面との間で引っ掛かりを生じるので、ネジ部材の締め付け時における第１端子金具の連れ回り防止機能の信頼性が向上する。
【０００９】
＜実施例１＞
以下、本発明を具体化した実施例１を図１〜図１０を参照して説明する。本実施例のアース用端子金具Ａは、第１端子金具１０と第２端子金具２０とを組み付けて構成され、ボルトＢ（請求項に記載のネジ部材）の締付けにより接地面Ｅに対し導通可能に固定されるようになっている。尚、以下の説明における上下の方向に関しては、接地面Ｅが水平上向きである状態を基準とする。
【００１０】
第１端子金具１０は、所定形状をなす金属板材に曲げ加工等を施して形成されたものである。図３〜５に示すように、第１端子金具１０は、全体として概ね水平な（つまり、接地面Ｅと平行な）平板状をなす第１本体部１１と、第１本体部１１の外周縁から突出した形態のオープンバレル状をなす第１圧着部１２とを有する。第１圧着部１２には図示しない電線が接続される。
【００１１】
第１本体部１１の中央部には、上下方向（第１本体部１１の板厚方向）に貫通する円形の第１取付孔１３（請求項に記載の取付孔）が形成されている。第１本体部１１の外周縁のうち第１取付孔１３を挟むような位置関係となる２位置には、上方へ立ち上げてその立ち上がり端を第１取付孔１３側へ屈曲させた逆Ｌ字形をなす挟持部１４が形成されている。また、第１本体部１１には、その一部を斜め上方へ切り起こした形態の係止爪１５が形成されている。係止爪１５は、第１取付孔１３を中心とする周方向時計回り方向に向かって次第に高くなるように傾斜し、平面視（図３に表れる面）方向に突出している。
【００１２】
第２端子金具２０は、第１端子金具１０と同様、所定形状をなす金属板材に曲げ加工等を施して形成されたものである。図７，８に示すように、第２端子金具２０は、全体として概ね水平な（つまり、接地面Ｅと平行な）平板状をなす第２本体部２１と、第２本体部２１の外周縁から突出した形態のオープンバレル状をなす第２圧着部２２とを有する。第２圧着部２２には図示しない電線が接続される。
【００１３】
第２本体部２１の中央部には、上下（第２本体部２１の板厚方向）に貫通する円形の第２取付孔２３が形成されている。第２本体部２１の外周縁のうち第２取付孔２３を挟むような位置関係となる２位置には、上方へ叩き出した形態の一対の突起部２４が形成されている。また、第２本体部２１には、第１端子金具１０の係止爪１５が係止される係止孔２５が、矩形状に形成されている。さらに、第２本体部２１の外周縁には、第１端子金具１０の挟持部１４と同一形態の一対の挟持部１４が形成されている。
【００１４】
第１端子金具１０と第２端子金具２０は、次のようにして組み付けられる。組付けに際しては、第１本体部１１の上面に第２本体部２１を重ねて、直接、接触させ、第１取付孔１３と第２取付孔２３が同心状に位置するように位置決めする。そして、第１本体部１１に対し第２本体部２１を平面視において時計回り方向に回すことにより、図１に示すように、第２本体部２１の外周縁部のうち突起部２４が形成されている領域を、第１本体部１１の外周縁と一対の挟持部１４との間に圧入するとともに、係止爪１５を係止孔２５に係止させる。
【００１５】
この組合わせ作用により、第１本体部１１の上面と第２本体部２１の下面がほぼ全領域に亘って強く押圧するとともに、突起部２４が挟持部１４の下面に強く押圧される。同時に、係止作用により、第１端子金具１０と第２端子金具２０が、水平方向において第１及び第２取付孔１３，２３を一致させて回転方向において位置決めされる。この押圧作用と位置決め作用により、第１端子金具１０と第２端子金具２０が離脱規制状態に組付けられる。
【００１６】
組み付けられたアース用端子金具Ａは、接地面Ｅに載置され、第１端子金具１０の下面を接地面Ｅの上面に、直接、接触させるとともに、両取付孔１３，２３を接地面Ｅの雌ネジ部（図示省略）に位置合わせする。そして、両取付孔１３，２３に貫通したボルトＢを雌ネジ部にねじ込んで締め付けると、第１本体部１１と第２本体部２１がボルトＢの頭部Ｈと接地面Ｅとの間で強く挟み付けられる。これにより、アース用端子金具Ａは、接地面Ｅに対し導通可能に固定される。
【００１７】
上記のようにボルトＢを締め付ける際には、頭部Ｈが第１本体部１１の上面に直接接触するため、摩擦によって第１端子金具１０（アース用端子金具Ａ）がボルトＢと一緒に連れ回りすることが懸念される。アース用端子金具Ａが連れ回りすると、圧着部１２，２２に接続されている電線（図示省略）が水平に首を振るため、第１端子金具１０には、連れ回りを防止する手段として、回り止め部１６が形成されている。
【００１８】
図３〜５に示すように、回り止め部１６は、第１本体部１１に一体形成されている。回り止め部１６は、第１本体部１１の外周縁から径方向外向き（つまり、第１取付孔１３から遠ざかる方向）に面一状に延出する片持ち状の板状支持部１７と、支持板部の延出端縁から下向き（接地面Ｅに向かう方向）に片持ち状に延出する板状係止部１８とから構成されている。第１端子金具１０を水平方向に視たときに、回り止め部１６は逆Ｌ字形に屈曲した形状である。また、板状支持部１７と板状係止部１８の折り目３０は、第１取付孔１３及びボルトＢを中心とする円弧（図示省略）に外接する接線方向を向いている。板状係止部１８の外縁部のうち時計回り方向の前方側に位置する縁部は、上下方向（ボルトＢの回転方向と直角な方向）に沿って延びる係止縁部１９となっている。
【００１９】
アース用端子金具Ａを接地面Ｅに固定する際には、図１，２に示すように、回り止め部１６の板状係止部１８を接地面Ｅの係止溝Ｇ（請求項に記載の受け部）に挿入しておく。この状態でボルトＢを締め付けると、ボルトＢの締付けトルクが回り止め部１６に作用し、板状係止部１８の係止縁部１９が、係止溝Ｇに対し時計回り方向に当接して係止状態となる。この係止作用により、アース用端子金具Ａの時計回り方向への回転、つまり連れ回りが防止される。尚、第２端子金具２０が第１端子金具１０によって連れ回りすることは、第１端子金具１０の挟持部１４と第２端子金具２０の挟持部１４が当接することによって防止されている。
【００２０】
本実施例のアース用端子金具Ａには、回り止め部１６による連れ回り防止機能を向上させる手段が設けられているが、ここで、比較説明のために、本実施例の連れ回り防止機能向上手段を備えていないアース用端子金具Ｔの問題点を、図９，１０を参照して説明する。このアース用端子金具Ｔは、連れ回り防止機能向上手段を備えていないという点以外は、本実施例のアース用端子金具Ａと同一の構成である。
【００２１】
アース用端子金具Ｔでは、ボルトＢを締め付ける際に、回り止め部１６に作用する締付けトルクが大きいと、図１０に示すように、回り止め部１６が接地面Ｅから浮き上がるように捻れ変形することが懸念される。このとき、板状支持部１７が斜めになりながら上方へ変位し、板状係止部１８も斜め姿勢になって上方へ変位する。回り止め部１６がこのような変形を生じると、回り止め部１６と係止溝Ｇの上下方向の係止代が減少するだけでなく、板状係止部１８の係止縁部１９がボルトＢの締付け方向（回転方向）に対して直角な向きから斜めの向きに転向するため、回り止め部１６による回り止め機能の信頼性が低下する虞がある。
【００２２】
そこで、本実施例では、回り止め部１６による連れ回り防止機能向上手段として、第２端子金具２０に、押さえ部２６を一体に形成した。図７，８に示すように、押さえ部２６は、第２本体部２１の外周縁から径方向外向きに面一状に延出させた形態である。図１に示すように、第１端子金具１０と第２端子金具２０を組み付けた状態では、周方向において押さえ部２６が回り止め部１６と対応するような位置に配置されている。また、両端子金具１０，２０を組み付けた状態では、押さえ部２６が、回り止め部１６のうち板状支持部１７の上面の全領域に対し面接触状に当接する。つまり、押さえ部２６は、接地面Ｅとの間で回り止め部１６の板状支持部１７を挟むような形態となっている。
【００２３】
本実施例によれば、回り止め部１６に締付けトルクが作用しても、板状支持部１７は上から押さえ部２６によって押さえ付けられているので、板状支持部１７が斜めに捻れながら上方へ変位することがない。板状支持部１７の斜め変形や上方への変位が規制されれば、回り止め部１６の捻れ変形が抑制される。したがって、板状係止部１８と係止溝Ｇの上下方向に係止代が減少することもなく、また、板状係止部１８の係止縁部１９の向きがボルトＢの回転方向に対して斜めになることもない。これにより、本実施例のアース用端子金具Ａは、回り止め部１６による連れ回り防止機能に優れている。
【００２４】
本実施例のアース用端子金具Ａは、取付孔に貫通させたボルトＢ（ネジ部材）を接地面Ｅにねじ込んで締め付けることにより接地面Ｅに固定される第１端子金具１０と、第１端子金具１０の外周縁部から延出した形態であり、ネジ部材の締付け時に接地面Ｅの係止溝Ｇに係止することで第１端子金具１０の連れ回りを規制する回り止め部１６と、接地面Ｅとの間で第１端子金具１０を挟むように配される第２端子金具２０と、第２端子金具２０に形成され、回り止め部１６に対し接地面Ｅとは反対側から当接する押さえ部２６とを備える。この構成によれば、ネジ部材を締め付けた時に回り止め部１６に締付けトルクが作用しても、押さえ部２６の当接作用により、回り止め部１６の捻れ変形が規制される。したがって、回り止め部１６による連れ回り防止機能の信頼性が高く、第１端子金具１０の連れ回りを確実に防止できる。
【００２５】
また、第１端子金具１０における接地面Ｅとの接触領域には、第１端子金具１０と接地面Ｅとの間で周方向の引っ掛かりを生じさせる滑り止め部３１が形成されている。図５，６に示すように、滑り止め部３１は、第１本体部１１の下面を溝状に凹ませた形態であり、周方向に間隔を空けた複数位置に配置されている。滑り止め部３１の溝の向きは、径方向に沿った方向（つまり、ボルトＢの回転方向と直交する方向）となっている。ボルトＢの締付けトルクが第１端子金具１０に作用したときには、滑り止め部３１の溝のエッジが、接地面Ｅに対して引っ掛かりとなるので、第１端子金具１０は接地面Ｅに対して滑りを生じ難くなる。このように本実施例によれば、ネジ部材の締め付け時における第１端子金具１０の連れ回り防止機能が高い。
【００２６】
＜他の実施例＞
本発明は上記記述及び図面によって説明した実施例に限定されるものではなく、例えば次のような実施例も本発明の技術的範囲に含まれる。
（１）上記実施例では、滑り止め部として、第１端子金具における接地面との接触領域を溝状に凹ませた形態としたが、滑り止め部は、第１端子金具における接地面との接触領域から突出する形態であってもよい。
（２）上記実施例では、第１端子金具における接地面との接触領域に滑り止め部を形成したが、このような滑り止め部を形成しない形態としてもよい。
（３）上記実施例では、ネジ部材として六角形の頭部を有するボルトを用い、このボルトを取付孔に貫通させて接地面の雌ネジ部（図示省略）にねじ込むようにしたが、本発明は、ネジ部材としてナットを用い、このナットを、接地面から突出して取付孔を貫通したスタッドボルトにねじ込む場合にも適用できる。
（４）上記実施例では、第１端子金具が接地面と直接接触するようにしたが、本発明は、第１端子金具と接地面との間に、別の端子金具やスペーサ等を介在させる場合にも適用できる。
（５）上記実施例では、第１端子金具と第２端子金具が直接、接触して組み付けられるようにしたが、本発明は、第１端子金具と第２端子金具との間に別の端子金具やスペーサ等を介在させる場合にも適用できる。
【符号の説明】
【００２７】
Ａ…アース用端子金具
Ｂ…ボルト（ネジ部材）
Ｅ…接地面
Ｇ…係止溝（受け部）
１０…第１端子金具
１３…第１取付孔（第１取付孔）
１６…回り止め部
２０…第２端子金具
２６…押さえ部
３１…滑り止め部
【図１】
2014170683.tif 000003
【図２】
2014170683.tif 000004
【図３】
2014170683.tif 000005
【図４】
2014170683.tif 000006
【図５】
2014170683.tif 000007
【図６】
2014170683.tif 000008
【図７】
2014170683.tif 000009
【図８】
2014170683.tif 000010
【図９】
2014170683.tif 000011
【図１０】
2014170683.tif 000012